(57)【要約】【目的】食料品容器や化粧品容器として好適なガスバリア性に優れた吸引式注出ポンプ装置付き液体容器を提供する。【構成】別体構成の側壁部と底部とを接合して成ると共に上方開口部を有する容器本体と、該容器本体を閉塞する蓋体と、を有して構成される吸引式注出ポンプ装置付き液体容器であって、  前記側壁部と底部とが、合成樹脂層と酸素バリア層とを積層した積層構成を各々有し、  前記側壁部は、円筒、角筒の如き筒状体であり、該筒状体は折曲接合部を円周と直交する上下方向に有しており、  前記底部は、その周縁部が絞り成形により立上り形成された立上部を有しており、該立上部が前記側壁部の少なくとも一部の全周と接合されて容器本体と成り、  且つ前期吸引式注出ポンプ装置の前記上方開口部に対する装着手段が４種の特定構成の中のいずれかの構成であることを特徴とする。【選択図】        図１
2013159398.tif 000002
【特許請求の範囲】
【請求項１】
別体構成の側壁部と底部とを接合して成ると共に上方開口部を有する容器本体が、前記上方開口部に装着されて液体を吸引注出する吸引式注出ポンプ装置を有する吸引式注出ポンプ装置付き液体容器であって、
前記側壁部と底部とが、合成樹脂層と酸素バリア層とを積層した積層構成を各々有し、
前記側壁部は、円筒、角筒の如き筒状体であり、該筒状体は折曲接合部を円周と直交する上下方向に有しており、
前記底部は、その周縁部が絞り成形により立上り形成された立上部を有しており、該立上部が前記側壁部の少なくとも一部の全周と接合されて容器本体と成る構成であり、
且つ前記吸引式注出ポンプ装置の前記上方開口部に対する装着手段が下記（１）〜（４）のいずれかの構成であることを特徴とする吸引式注出ポンプ装置付き液体容器。
［装着手段の構成］
（１）前記上方開口部に、前記吸引式注出ポンプ装置が螺合又は嵌合するポンプ被取付部が接合されて装着される構成
（２）前記上方開口部に、前記吸引式注出ポンプ装置が螺合又は嵌合するポンプ被取付部が接合されて装着される構成であって、且つ前記上方開口部又は前記ポンプ被取付部が合成樹脂層と酸素バリア層とを積層した積層シールで密閉被覆されており、前記吸引式注出ポンプ装置の吸引管を突き刺すことにより内外を通じさせると共に該吸引式注出ポンプ装置を前記ポンプ被取付部に螺合又は嵌合して装着される構成
（３）前記上方開口部に、前記吸引式注出ポンプ装置が直接接合されて装着される構成
（４）前記上方開口部に、前記吸引式注出ポンプ装置の吸引管が液密状態で突き刺される被突き刺し部であるポンプ被取付部が接合されて装着される構成であって、該ポンプ被取付部が、合成樹脂層と酸素バリア層とを積層した積層した積層シールで密封被覆されており、前記吸引管を液密状態で突き刺すことにより内外を通じさせることが可能な構成
【請求項２】
前記（１）〜（３）のいずれかの装着構成を有する吸引式注出ポンプ装置付き液体容器の容器本体部分が、少なくとも該容器本体部分を被覆する外容器体に収容される構成であることを特徴とする請求項１に記載の吸引式注出ポンプ装置付き液体容器。
【請求項３】
前記（４）の装着構成を有する吸引式注出ポンプ装置付き液体容器の容器本体部分が、少なくとも該容器本体部分を被覆する外容器体に収容される構成であり、
該外容器体が、上部に螺合・嵌合・固着の如き固定手段により吸引式注出ポンプ装置が固定されると共に、下端部が開放された外枠体と、該外枠体に対して、下方側から着脱自在である内枠体と、から成り、
外枠体から取り外した内枠体内に前記容器本体を収容して外枠体の下端部側から嵌挿させる際に前記吸引管を前記ポンプ被取付部に液密状態で突き刺して該容器本体内の液体を前記注出口から抽出可能にする構成であること、
を特徴とする請求項１に記載の吸引式注出ポンプ装置付き液体容器。
【請求項４】
前記吸引式注出ポンプ又は前記ポンプ被取付部が、少なくとも前記側壁部と接合する部分が樹脂製であり、
前記側壁部と前記吸引式注出ポンプ又は前記ポンプ被取付部との接合部における接合面側に位置する前記側壁部の層が、前記吸引式注出ポンプ又は前記ポンプ被取付部の樹脂製部分と同種の合成樹脂で構成されている層であること、
を特徴とする請求項１〜３のいずれかに記載の吸引式注出ポンプ装置付き液体容器。
【請求項５】
前記側壁部と底部との接合部における各々の接合面側に位置する層が、同種の合成樹脂で構成されている層であることを特徴とする請求項１〜４のいずれかに記載の吸引式注出ポンプ装置付き液体容器。
【発明の詳細な説明】
【技術分野】
【０００１】
本発明は吸引式注出ポンプ装置付き液体容器に関し、詳しくは吸引式注出ポンプ装置を備えたガスバリア性及び可撓性を有する液体充填容器に関する。
【背景技術】
【０００２】
液体容器口部に装着した吸引式注出ポンプ装置によって液体容器内の液体の吸引・注出をするに従って液体容器内の負圧化に伴い収縮（縮小）していく構成の液体容器としては、容器本体が酸素バリア性を有する積層フィルムから成る筒状体の底部に合成樹脂製の底板部を接合した構成のものが一般的に知られている。
【０００３】
ガスバリア性を有する液体容器は、そのガスバリア性に加えて気密性や液密性を有することから衛生面での高安全性・高品質保持性の点で食品類や化粧品類の容器として好適である。
【発明の概要】
【発明が解決しようとする課題】
【０００４】
しかし上記の構成を有する従来技術では、積層フィルムの各接合部のシール性の点で未だ不充分であると共に合成樹脂製の底板部におけるガスバリア性の不備により高安全性及び高品質保持性が求められる食品類や化粧品類の容器としては不具合や不都合が生じるおそれがあるという問題点を有している。
【０００５】
そこで本発明の目的は、食料品容器や化粧品容器として好適なガスバリア性に優れた吸引式注出ポンプ装置付き液体容器を提供することにある。
【課題を解決するための手段】
【０００６】
上記課題を解決する本発明は、下記構成を有する。
【０００７】
１．別体構成の側壁部と底部とを接合して成ると共に上方開口部を有する容器本体が、前記上方開口部に装着されて液体を吸引注出する吸引式注出ポンプ装置を有する吸引式注出ポンプ装置付き液体容器であって、
前記側壁部と底部とが、合成樹脂層と酸素バリア層とを積層した積層構成を各々有し、
前記側壁部は、円筒、角筒の如き筒状体であり、該筒状体は折曲接合部を円周と直交する上下方向に有しており、
前記底部は、その周縁部が絞り成形により立上り形成された立上部を有しており、該立上部が前記側壁部の少なくとも一部の全周と接合されて容器本体と成る構成であり、
且つ前記吸引式注出ポンプ装置の前記上方開口部に対する装着手段が下記（１）〜（４）のいずれかの構成であることを特徴とする吸引式注出ポンプ装置付き液体容器。
［装着手段の構成］
（１）前記上方開口部に、前記吸引式注出ポンプ装置が螺合又は嵌合するポンプ被取付部が接合されて装着される構成
（２）前記上方開口部に、前記吸引式注出ポンプ装置が螺合又は嵌合するポンプ被取付部が接合されて装着される構成であって、且つ前記上方開口部又は前記ポンプ被取付部が合成樹脂層と酸素バリア層とを積層した積層シールで密閉被覆されており、前記吸引式注出ポンプ装置の吸引管を突き刺すことにより内外を通じさせると共に該吸引式注出ポンプ装置を前記ポンプ被取付部に螺合又は嵌合して装着される構成
（３）前記上方開口部に、前記吸引式注出ポンプ装置が直接接合されて装着される構成
（４）前記上方開口部に、前記吸引式注出ポンプ装置の吸引管が液密状態で突き刺される被突き刺し部であるポンプ被取付部が接合されて装着される構成であって、該ポンプ被取付部が、合成樹脂層と酸素バリア層とを積層した積層した積層シールで密封被覆されており、前記吸引管を液密状態で突き刺すことにより内外を通じさせることが可能な構成
【０００８】
２．前記（１）〜（３）のいずれかの装着構成を有する吸引式注出ポンプ装置付き液体容器の容器本体部分が、少なくとも該容器本体部分を被覆する外容器体に収容される構成であることを特徴とする上記１に記載の吸引式注出ポンプ装置付き液体容器。
【０００９】
３．前記（４）の装着構成を有する吸引式注出ポンプ装置付き液体容器の容器本体部分が、少なくとも該容器本体部分を被覆する外容器体に収容される構成であり、
該外容器体が、上部に螺合・嵌合・固着の如き固定手段により吸引式注出ポンプ装置が固定されると共に、下端部が開放された外枠体と、該外枠体に対して、下方側から着脱自在である内枠体と、から成り、
外枠体から取り外した内枠体内に前記容器本体を収容して外枠体の下端部側から嵌挿させる際に前記吸引管を前記ポンプ被取付部に液密状態で突き刺して該容器本体内の液体を前記注出口から抽出可能にする構成であること、
を特徴とする上記１に記載の吸引式注出ポンプ装置付き液体容器。
【００１０】
４．前記吸引式注出ポンプ又は前記ポンプ被取付部が、少なくとも前記側壁部と接合する部分が樹脂製であり、
前記側壁部と前記吸引式注出ポンプ又は前記ポンプ被取付部との接合部における接合面側に位置する前記側壁部の層が、前記吸引式注出ポンプ又は前記ポンプ被取付部の樹脂製部分と同種の合成樹脂で構成されている層であること、
を特徴とする上記１〜３のいずれかに記載の吸引式注出ポンプ装置付き液体容器。
【００１１】
５．前記側壁部と底部との接合部における各々の接合面側に位置する層が、同種の合成樹脂で構成されている層であることを特徴とする上記１〜４のいずれかに記載の吸引式注出ポンプ装置付き液体容器。
【発明の効果】
【００１２】
請求項１に示す発明によれば、化粧品容器や食料品容器として好適なガスバリア性に優れた吸引式注出ポンプ装置付き液体容器を提供することができる。
【００１３】
特に、容器本体と成る筒状体の側壁部と底部とが共にガスバリア性を有し、しかもこの側壁部と底部の接合部分が絞り成形により立上り形成された底部の周縁部と側壁部の全周とを接合する構成であるため、この接合部においてさえも高ガスバリア性を発揮する。
また、筒状体を成す側壁部についても、円周と直交する上下方向の接合部が折曲接合部であるため、この折曲接合部におけるガスバリア性についても高いという効果を発揮する。
【００１４】
請求項２又は３に示す発明によれば、液体容器内の液体の吸引・注出するに従って液体容器内の負圧化に伴い収縮（縮小）しても液体容器を自立保持させることができる。
【００１５】
特に、請求項３に示す発明によれば、液体容器への吸引式注出ポンプ装置の吸引管を突き刺す際に、外枠体と内枠体との嵌挿動作が吸引管の積層シールへの突き刺しのガイド機能を果たすことになるので確実且つ容易に突き刺すことができる。
【００１６】
請求項４又は５に示す発明によれば、同じ種類の合成樹脂同士を接合するため、接合力が高く、しかも各々の接合部におけるガスバリア性が極めて高いという効果を発揮する。
【００１７】
【図面の簡単な説明】
【００１８】
【図１】本発明に係る吸引式注出ポンプ装置付き液体容器の一実施例を示す一部切欠断面図
【図２】図１の側壁部の折曲接合部の接合状態を説明する要部拡大端面図
【図３】図１の側壁部と底部との接合部の要部拡大断面図
【図４】側壁部と底部との接合部の他の実施例を示す要部拡大断面図
【図５】本発明に係る吸引式注出ポンプ装置付き液体容器の他の実施例の構成を示す構成正面図
【図６】本発明に係る吸引式注出ポンプ装置付き液体容器の他の実施例を示す正面図
【図７】本発明に係る吸引式注出ポンプ装置付き液体容器の他の実施例の構成を示す構成説明図
【図８】本発明に係る吸引式注出ポンプ装置付き液体容器の他の実施例の構成を示す構成説明図
【図９】本発明に係る吸引式注出ポンプ装置付き液体容器の他の実施例の構成を示す構成説明図
【図１０】ポンプ被取付部の要部拡大断面図
【発明を実施するための形態】
【００１９】
以下、本発明に係る吸引式注出ポンプ装置付き液体容器（以下、単に液体容器ということもある。）について図面に基づき説明する。
【００２０】
本発明は、ソース、マヨネーズ、醤油、食用油等の液体状食料品、シャンプー、コンディショナー、トリートメント、その他の頭髪用品をはじめ、化粧液、歯磨き等の液体状化粧品類、機械油等のその他の各種液体（ゲル状或いはゼリー状等の高粘度液体を含む。）が充填される液体容器であって、該液体容器の口部である上方開口部に装着される吸引式注出ポンプ装置によって前記液体の吸引・注出する構成を有するものであり、
具体的な実施構成としては、図１〜図３に示すように、
別体構成の側壁部２と底部３とを接合して成ると共に上方開口部を有する容器本体５が、前記上方開口部に装着されて液体を吸引注出する吸引式注出ポンプ装置４を有する液体容器１であって、
前記側壁部２と底部３とが、合成樹脂層と酸素バリア層とを積層した積層構成を各々有し、
前記側壁部２は、円筒、角筒の如き筒状体（本実施例では円筒）であり、該筒状体は折曲接合部２１を円周と直交する上下方向に有しており、
前記底部３は、その周縁部が絞り成形により立上り形成された立上部３１を有しており、該立上部３１が前記側壁部２の少なくとも一部（本実施例では下端部乃至は下端近傍部）の全周と接合されて底面が形成され、前記筒状体の底面と対向する側が上方開口部とされ、全体として容器本体５と成る構成であり、
且つ前記吸引式注出ポンプ装置４が、前記上方開口部に螺合又は嵌合（本実施例では螺合）するポンプ被取付部６が接合されて装着される構成であること、を主構成とするものである。
【００２１】
更に、各構成について詳説する。
【００２２】
側壁部２及び底部３の積層構成の内、合成樹脂層としては、ポリエチレン、ポリエチレンテレフタレート、ポリプロピレン、ポリアミド、エチレンビニルアルコール共重合体等の二軸延伸フィルム又は一軸延伸フィルムの単体又は積層体が挙げられ、中でも、ポリエチレンフィルム、ポリプロピレンフィルム、ポリエチレンテレフタレートフィルムが好ましい。
【００２３】
上記した合成樹脂層に酸素や水蒸気等のガスバリア性を付与するために積層される酸素バリア層としては、アルミニウム、マグネシウム等の金属、又は酸化珪素等の酸化物を蒸着した蒸着フィルム、ポリ塩化ビニリデン等のバリア性コート剤等をコートしたコートフィルム等が挙げられ、中でも、アルミニウムフィルムが好ましい。
【００２４】
側壁部２と底部３の積層構成は、異なる層構成であってもよいが同一の層構成であることが好ましく、具体的な層構成例としては、ポリエチレンフィルム又はポリプロピレンフィルム層、アルミニウムフィルム層、ポリエチレンテレフタレート層、ポリエチレンフィルム又はポリプロピレンフィルム層の順に積層した４層構成を好ましい例として挙げることができる。尚、本構成の場合、ポリエチレンテレフタレート層を印刷層とし、該印刷層に製品名、容量、使用方法、製造社名等の内容物に関する種々情報を印刷表示することもできる。
【００２５】
上記した層構成を有する側壁部２は、略矩形体の積層フィルムの両端の縦辺同士を拝み接合し、この接合代の部分を一方に折り曲げることで倒して更に接合して折曲接合部２１となっている。図２の（Ａ）に示すように、積層フィルムの両端の縦辺同士を拝み接合することにより、該側壁部２を構成する層構成がどのような構成であっても、この接合代２１Ａ・２１Ｂの部分は同一面同士、即ち、同種の合成樹脂層同士が接合することになる。更に、図２の（Ｂ）に示すように、接合代２１Ａ・２１Ｂを折り曲げて倒した際にも、この接合代２１Ａ・２１Ｂの倒された際に下側になる部分２１Ｂは該接合代２１Ｂに隣接する部分に接して接合される、即ち、同種の合成樹脂層の表面同士の接合となる。このように、同種の合成樹脂の接合によって、かかる接合は極めて強固且つ確実な接合となり、この折曲接合部２１からの内容物の漏出や酸素等の浸入を防ぐことができガスバリア性に優れた接合となる。更にまた、図２の（Ｃ）に示すように、側壁部２の最内層と最外層の合成樹脂が同種である場合には、該側壁部２の縦辺の端部同士を重ね合わせた状態で接合する構成とすることができる。
【００２６】
また前記折曲接合部２１は、上記した一枚の積層フィルムの両端の縦辺同士を拝み接合する構成に限らず、本出願人による特許第４１６５６９７号に記載のように、二枚の積層フィルムを重ね、その２枚の積層フィルムの両端の縦辺同士を接合し、接合した部分を折り曲げて倒して更に接合することで筒状体を成すように形成することもできる。
【００２７】
上記したように略矩形体の積層フィルム両端の縦辺同士を拝み接合して折畳み接合することで、筒状体の側壁部２を形成することができる。
【００２８】
次に、上記した層構成を有する底部３は、深絞り成形によって周縁部に立上部３１が形成された構成となる。
【００２９】
前記側壁部２と前記底部３との接合は、上述したように底部３の立上部３１が側壁部２の下端部乃至は下端近傍部の部分で行われる。この際、図３に示すように、側壁部２の最外層の下端部乃至は下端部近傍と、底部３の立上部３１の最内層とが全体的に接合することになるが、かかる接合を強固且つ確実とすることで優れたガスバリア性を発揮させるには、前記折曲接合部２１における接合と同様に同種の合成樹脂層同士が接合するようにすることである。即ち、側壁部２の最外層と、底部３の立上部３１の最内層とが同種の合成樹脂層となるように各々の層を構成することが好ましい。
【００３０】
また、図１及び図３に示す本実施例では、立上部３１が側壁部２の外側に接合される構成となっているが、本発明はかかる構成に限定されず、図４に示すように、立上部３１が側壁部２の内側に接合される構成であってもよい。
【００３１】
側壁部２と底部３とを接合して成る容器本体５の上方開口部に接合するポンプ被取付部６は、上述したように吸引式注出ポンプ装置４が螺合することで取り付けられる部分であり、少なくとも前記側壁部２と接合する部分が樹脂製（本実施例では全体が合成樹脂製）であると共に、容器本体５の口縁部の強度保持部分（後述する外容器体８に収容される場合には重要な強度保持部分となる。）としても機能するものであり、射出成形等の公知の樹脂成形手段により成形された樹脂成形物構成である。
【００３２】
側壁部２とポンプ被取付部６との接合は、上記した図１に示す実施例（及び後述する図９及び図１０に示す実施例）では側壁部２の内側にポンプ被取付部６の外周部分を接合する構成となっているが、本発明はかかる構成に限定されず、側壁部２の外側がポンプ被取付部６の内周部分に接合される構成であってもよく、この種の液体容器の接合部構成として公知公用の接合構成を採ることができる。
【００３３】
上記した各接合部、即ち、側壁部２の折曲接合部２１の接合、側壁部２と底部３の立上部３１との接合、側壁部２とポンプ被取付部６との接合等の各々の接合は、この主の接合手段として公知公用の溶着・融着・接着、その他の接合手段を特別の制限なく用いることができる。
【００３４】
該ポンプ被取付部６の材質としては、側壁部２の上端部分と接合される際に該側壁部２の接合面側に位置する層と同種の合成樹脂であることが、該接合部における接合を強固且つ確実とすることで優れたガスバリア性を発揮させるために好ましい。側壁部２の層構成が前述した構成の場合、接合面側にはポリエチレンフィルム又はポリプロピレンフィルム層が位置することになるので、ポンプ被取付部６はポリエチレン又はポリプロピレンの成形体であることが好ましい。
【００３５】
ポンプ被取付部６への吸引式注出ポンプ装置４の取付けは、該ポンプ被取付部６の口部６１に形成された被螺合部に前記吸引式注出ポンプ装置４を螺合固定する構成を挙げることができる。尚、この取付は螺合に限らず嵌合とすることもでき、嵌合の場合、着脱可能又は固着状態で嵌合されるが、好ましくは着脱可能に嵌合することである。
【００３６】
吸引式注出ポンプ装置４としては、この種の液体用の吸引式注出ポンプとして公知公用の構成のものを特別の制限なく用いることができ、上部の押下部４１を押込操作することにより液体容器１内の液体を吸液管４２から吸引し、ポンプ動作部４３内のピストン・シリンダ内を通って液体を吐出口４４から吐出することができる。尚、吸引式注出ポンプ装置４のポンプ構成については、この種の液体容器の吸引式注出ポンプ装置に用いられる一般的なポンプ構成であるため、本明細書ではポンプ機構についての説明を省略する。
【００３７】
以上、本発明に係る吸引式抽出ポンプ装置付き液体容器の一実施例について説明したが、本発明は上記実施例に限定されず、他の態様を採ることもできる。
【００３８】
例えば、図５のポンプ被取付部６の口部６１は、合成樹脂層と酸素バリア層とを積層した積層シール６２で密閉被覆する構成とすることもできる。かかる構成によれば、工場等での液体の充填密封時から使用時までの内容物である液体の品質保持性を維持することができ、使用に際して吸引式注出ポンプ装置４の吸引管４２を先端から突き刺すことにより内外を通じさせると共に該吸引式注出ポンプ装置４を前記ポンプ被取付部６に螺合又は嵌合して装着することで液体の吸引注出による吐出が可能となる。
【００３９】
また、図６に示すように、容器本体５の上方開口部である側壁部２の上端全周に吸引式注出ポンプ装置４が直接接合されて装着される構成とすることもできる。
【００４０】
更に本発明の液体容器１は、液体の吸引・注出に際しては、内部負圧化に伴って容器本体５が収縮する構成となっていることから、液体が満杯の際には液体容器１は筒状体形状を維持しているため自立可能であるが、液体の吸引・注出に伴って収縮していくことで自立不可能となるため、図７、図８又は図９に示すように外容器体７に収容して用いる構成とすることもできる。
【００４１】
図７は、底面開放及び上部開口型の外容器体７に容器本体５を下方から挿入した後、吸引注出ポンプ装置４を上方から取り付ける構成となっている。
【００４２】
また、図８は、上部開放型の外容器体７に液体容器１を上方から挿入した後、環状上蓋７１を止着する構成となっている。
【００４３】
更に、図９は、外容器体７として、吸引式注出ポンプ装置４が螺合・嵌合・固着等により取り付けられる外枠体７Ａに、上方開口部を積層シール６２で密封被覆した容器本体５を収容する内枠体７Ｂを嵌挿して、前記吸引式注出ポンプ装置４の吸引管４２を前記積層シール６２に液密状態で突き刺すことにより内外を通じさせる構成となっている。
【００４４】
図９に示す態様では、容器本体５のポンプ被取付部６は図１０に示すように合成樹脂層と酸素バリア層とを積層した積層シール６２で密封被覆する構成となっており、使用に際して吸引式注出ポンプ装置４の吸引管４２を先端から液密状態で突き刺すことにより内外を通じさせると共に該吸引式注出ポンプ装置４を前記ポンプ被取付部６に螺合又は嵌合して装着することで液体の吸引注出による吐出が可能となる。
【符号の説明】
【００４５】
１  吸引注出ポンプ装置付き液体容器（液体容器）
２  側壁部
２１  折曲接合部
２２  フランジ部
３  底部
３１  立上部
４  吸引式注出ポンプ装置
４１  押下部
４２  吸引管
４３  ポンプ動作部
４４  吐出口
５  容器本体
６  ポンプ被取付部
６１  口部
６２  積層シール
７  外容器体
７Ａ  外枠体
７Ｂ  内枠体
７１  環状上蓋
【図１】
2013159398.tif 000003
【図２】
2013159398.tif 000004
【図３】
2013159398.tif 000005
【図４】
2013159398.tif 000006
【図５】
2013159398.tif 000007
【図６】
2013159398.tif 000008
【図７】
2013159398.tif 000009
【図８】
2013159398.tif 000010
【図９】
2013159398.tif 000011
【図１０】
2013159398.tif 000012